(57)【特許請求の範囲】
【請求項１】
左右一対のサイドシル部（１３）と、前記左右一対のサイドシル部（１３）のサイドシル下壁繊維強化樹脂板（１６）間を接続するフロアパネル繊維強化樹脂板（１２）とを繊維強化樹脂で成形し、前記繊維強化樹脂は、連続繊維を車体前後方向およびそれに直交する方向に配列した第１織布（２３）と、前記第１織布（２３）に対して連続繊維の方向を４５°傾斜させた第２織布（２４）とを積層して樹脂に埋設してなる自動車の車体構造において、
前記サイドシル部（１３）の下壁部を構成するサイドシル下壁繊維強化樹脂板（１６）と、前記フロアパネル繊維強化樹脂板（１２）とは、内層に前記第１織布（２３）を少なくとも２層以上備えるとともに、外層に前記第２織布（２４）を少なくとも２層以上備え、前記第１、第２織布（２３，２４）は積層中心に対して繊維配向が対称になるように積層され、前記サイドシル下壁繊維強化樹脂板（１６）は前記フロアパネル繊維強化樹脂板（１２）よりも前記第１、第２織布（２３，２４）のうちの何れか一方の数が多く、
前記サイドシル部（１３）は、前記サイドシル下壁繊維強化樹脂板（１６）にサイドシル外壁繊維強化樹脂板（１７）、サイドシル内壁繊維強化樹脂板（１８）およびサイドシル上壁繊維強化樹脂板（１９）を接続して閉断面に構成され、前記サイドシル下壁繊維強化樹脂板（１６）、サイドシル外壁繊維強化樹脂板（１７）、サイドシル内壁繊維強化樹脂板（１８）およびサイドシル上壁繊維強化樹脂板（１９）の少なくとも一つは、他の一つに対して前記第１織布（２３）あるいは前記第２織布（２４）の数が異なることを特徴とする自動車の車体構造。
【請求項２】
左右一対のサイドシル部（１３）と、前記左右一対のサイドシル部（１３）のサイドシル下壁繊維強化樹脂板（１６）間を接続するフロアパネル繊維強化樹脂板（１２）とを繊維強化樹脂で成形し、前記繊維強化樹脂は、連続繊維を車体前後方向およびそれに直交する方向に配列した第１織布（２３）と、前記第１織布（２３）に対して連続繊維の方向を４５°傾斜させた第２織布（２４）とを積層して樹脂に埋設してなる自動車の車体構造において、
前記サイドシル部（１３）の下壁部を構成するサイドシル下壁繊維強化樹脂板（１６）と、前記フロアパネル繊維強化樹脂板（１２）とは、内層に前記第１織布（２３）を少なくとも２層以上備えるとともに、外層に前記第２織布（２４）を少なくとも２層以上備え、前記第１、第２織布（２３，２４）は積層中心に対して繊維配向が対称になるように積層され、前記サイドシル下壁繊維強化樹脂板（１６）は前記フロアパネル繊維強化樹脂板（１２）よりも前記第１、第２織布（２３，２４）のうちの何れか一方の数が多く、
前記サイドシル部（１３）の内部に締結部（２０）を有するブラケット（２１）を固定し、前記ブラケット（２１）を、前記サイドシル部（１３）の少なくとも前記サイドシル外壁繊維強化樹脂板（１７）および前記サイドシル内壁繊維強化樹脂板（１８）に接続したことを特徴とする自動車の車体構造。
【請求項３】
前記サイドシル部（１３）の前記サイドシル下壁繊維強化樹脂板（１６）および前記サイドシル上壁繊維強化樹脂板（１９）の繊維強化樹脂の最外層および最内層を前記第２織布（２４）で構成し、その内層を前記第１織布（２３）で構成したことを特徴とする、請求項１または請求項２に記載の自動車の車体構造。
【発明の詳細な説明】
【技術分野】
【０００１】
本発明は、左右一対のサイドシル部と、前記左右一対のサイドシル部のサイドシル下壁繊維強化樹脂板間を接続するフロアパネル繊維強化樹脂板とを繊維強化樹脂で成形し、前記繊維強化樹脂は、連続繊維を車体前後方向およびそれに直交する方向に配列した第１織布と、前記第１織布に対して連続繊維の方向を４５°傾斜させた第２織布とを積層して樹脂に埋設してなる自動車の車体構造に関する。
【背景技術】
【０００２】
ＣＦＲＰ（カーボン繊維強化樹脂）で構成したフロアパネルの車幅方向外端を、ＣＦＲＰで構成したロッカ（サイドシル）の下端に形成した開口から内部に挿入して結合することで、側突に対する車体の強度を高めるものが、下記特許文献１により公知である。
【０００３】
またＣＦＲＰで閉断面に構成したフレームの内部に外周壁、リブおよび締結部を有する金属インサートを配置し、被締結部材をボルトで金属インサートの締結部に締結することで、フレームおよび被締結部材を一体に結合するものが、下記特許文献２により公知である。
【先行技術文献】
【特許文献】
【０００４】
【特許文献１】特開２０１０−１２５８７０号公報
【特許文献２】特開２００９−２５５７９９号公報
【発明の概要】
【発明が解決しようとする課題】
【０００５】
ところで、上記特許文献１に記載されたものは、フロアパネルの一部がサイドシルの下部を構成しているため、繊維強化樹脂の織布の積層枚数や繊維の向きをフロアパネルおよびサイドシルの各々について別個に設定することができず、車体の剛性や衝突に対する強度と車体の軽量化とを両立させることが困難であるという問題があった。
【０００６】
また上記特許文献２に記載されたものは、金属インサートを用いているために重量が嵩むだけでなく、繊維強化樹脂を成形する際に金属インサートを埋め込む必要があるため、金型の構造が複雑化するだけでなく、金属インサートの位置精度を確保するのが難しいという問題があった。
【０００７】
本発明は前述の事情に鑑みてなされたもので、繊維強化樹脂製の自動車の車体の軽量化を図りながら耐衝突性能を高めることを目的とする。
【課題を解決するための手段】
【０００８】
上記目的を達成するために、請求項１に記載された発明によれば、左右一対のサイドシル部と、前記左右一対のサイドシル部のサイドシル下壁繊維強化樹脂板間を接続するフロアパネル繊維強化樹脂板とを繊維強化樹脂で成形し、前記繊維強化樹脂は、連続繊維を車体前後方向およびそれに直交する方向に配列した第１織布と、前記第１織布に対して連続繊維の方向を４５°傾斜させた第２織布とを積層して樹脂に埋設してなる自動車の車体構造において、前記サイドシル部の下壁部を構成するサイドシル下壁繊維強化樹脂板と、前記フロアパネル繊維強化樹脂板とは、内層に前記第１織布を少なくとも２層以上備えるとともに、外層に前記第２織布を少なくとも２層以上備え、前記第１、第２織布は積層中心に対して繊維配向が対称になるように積層され、前記サイドシル下壁繊維強化樹脂板は前記フロアパネル繊維強化樹脂板よりも前記第１、第２織布のうちの何れか一方の数が多く、前記サイドシル部は、前記サイドシル下壁繊維強化樹脂板にサイドシル外壁繊維強化樹脂板、サイドシル内壁繊維強化樹脂板およびサイドシル上壁繊維強化樹脂板を接続して閉断面に構成され、前記サイドシル下壁繊維強化樹脂板、サイドシル外壁繊維強化樹脂板、サイドシル内壁繊維強化樹脂板およびサイドシル上壁繊維強化樹脂板の少なくとも一つは、他の一つに対して前記第１織布あるいは前記第２織布の数が異なることを特徴とする自動車の車体構造が提案される。
【０００９】
また請求項２に記載された発明によれば、左右一対のサイドシル部と、前記左右一対のサイドシル部のサイドシル下壁繊維強化樹脂板間を接続するフロアパネル繊維強化樹脂板とを繊維強化樹脂で成形し、前記繊維強化樹脂は、連続繊維を車体前後方向およびそれに直交する方向に配列した第１織布と、前記第１織布に対して連続繊維の方向を４５°傾斜させた第２織布とを積層して樹脂に埋設してなる自動車の車体構造において、前記サイドシル部の下壁部を構成するサイドシル下壁繊維強化樹脂板と、前記フロアパネル繊維強化樹脂板とは、内層に前記第１織布を少なくとも２層以上備えるとともに、外層に前記第２織布を少なくとも２層以上備え、前記第１、第２織布は積層中心に対して繊維配向が対称になるように積層され、前記サイドシル下壁繊維強化樹脂板は前記フロアパネル繊維強化樹脂板よりも前記第１、第２織布のうちの何れか一方の数が多く、前記サイドシル部の内部に締結部を有するブラケットを固定し、前記ブラケットを、前記サイドシル部の少なくとも前記サイドシル外壁繊維強化樹脂板および前記サイドシル内壁繊維強化樹脂板に接続したことを特徴とする自動車の車体構造が提案される。
【００１０】
また請求項３に記載された発明によれば、請求項１または請求項２の構成に加えて、前記サイドシル部の前記サイドシル下壁繊維強化樹脂板および前記サイドシル上壁繊維強化樹脂板の繊維強化樹脂の最外層および最内層を前記第２織布で構成し、その内層を前記第１織布で構成したことを特徴とする自動車の車体構造が提案される。
【００１１】
尚、実施の形態のナット２０は本発明の締結部に対応する。
【発明の効果】
【００１２】
請求項１または請求項２の構成によれば、サイドシル部の下壁部を構成するサイドシル下壁繊維強化樹脂板と、フロアパネル繊維強化樹脂板とは、内層に第１織布を少なくとも２層以上備えるとともに、外層に第２織布を少なくとも２層以上備え、第１、第２織布は積層中心に対して繊維配向が対称になるように積層されるので、成形後に捩じれることがないだけでなく、サイドシル下壁繊維強化樹脂板はフロアパネル繊維強化樹脂板よりも第１、第２織布のうちの何れか一方の数が多いので、フロアパネル繊維強化樹脂板をサイドシル部まで延長してサイドシル部の下壁と積層する場合に比べて、積層枚数を減少させて重量の軽減と耐衝突性能・車体剛性などの車体性能とを両立させることができる。
【００１３】
特に請求項１の構成によれば、サイドシル部がサイドシル下壁繊維強化樹脂板にサイドシル外壁繊維強化樹脂板、サイドシル内壁繊維強化樹脂板およびサイドシル上壁繊維強化樹脂板を接続して閉断面に構成され、それら四つの繊維強化樹脂板の少なくとも一つは、他の一つに対して第１織布あるいは第２織布の数が異なるので、サイドシル部の各部の強度配分を任意に設定することができる。
【００１４】
特に請求項２の構成によれば、サイドシル部の内部に締結部を有するブラケットを固定したので、サイドシル部の繊維強化樹脂の内部に別部材のナットを固定した金属インサートを埋設する場合に比べて軽量化を図ることができ、しかもブラケットがバルクヘッドとして機能することで、特別の補強リブを必要とせずにサイドシル部の強度を高めることができる。更に、ブラケットをサイドシル部の少なくともサイドシル外壁繊維強化樹脂板およびサイドシル内壁繊維強化樹脂板に接続したので、側突に対する強度を更に高めることができる。
【００１５】
また請求項３の構成によれば、サイドシル部のサイドシル下壁繊維強化樹脂板およびサイドシル上壁繊維強化樹脂板の繊維強化樹脂の最外層および最内層を第２織布で構成し、その内層を第１織布で構成したので、第１、第２織布の組み合わせにより前突、後突および側突に対する強度を高めることができる。
【図面の簡単な説明】
【００１６】
【図１】繊維強化樹脂製の自動車のキャビンの斜視図。
【図２】図１の２−２線断面図。
【図３】図２の３方向矢視図。
【図４】第１織布および第２織布の積層状態を示す図。
【図５】サイドシル部の製造工程の説明図。
【発明を実施するための形態】
【００１７】
以下、図１〜図５に基づいて本発明の実施の形態を説明する。
【００１８】
図１に示すように、カーボン繊維強化樹脂で構成した自動車のキャビン１１は、後部に一段高くなったキックアップ部１２ａが形成された概ね平板状のフロアパネル繊維強化樹脂板１２と、フロアパネル繊維強化樹脂板１２の左右両側縁に沿って前後方向に延びる一対のサイドシル部１３，１３と、左右のサイドシル部１３，１３の前端間を接続するようにフロアパネル繊維強化樹脂板１２の前端から起立するフロント壁部１４と、左右のサイドシル部１３，１３の後端間を接続するようにフロアパネル繊維強化樹脂板１２の後端から起立するリヤ壁部１５とを有し、全体としてバスタブ状に形成される。
【００１９】
図２および図３に示すように、フロアパネル繊維強化樹脂板１２は１枚の繊維強化樹脂製のシートで構成され、サイドシル部１３は各々が繊維強化樹脂製のシートからなるサイドシル下壁繊維強化樹脂板１６、サイドシル外壁繊維強化樹脂板１７、サイドシル内壁繊維強化樹脂板１８およびサイドシル上壁繊維強化樹脂板１９を結合して矩形状の閉断面に構成される。サイドシル部１３の内部には、それに他部材を固定するための２個のナット２０，２０を埋設した繊維強化樹脂製のブラケット２１が結合される。尚、ブラケット２１は、２個のねじ孔を有する金属製のものであっても良い。
【００２０】
サイドシル部１３のサイドシル下壁繊維強化樹脂板１６は、車幅方向外端から上向きに延びるフランジ１６ａを有するＬ字状断面の部材であって、例えば６層に積層したカーボン繊維の織布を埋設した６プライの繊維強化樹脂からなる。サイドシル部１３のサイドシル外壁繊維強化樹脂板１７は、Ｉ字状断面の部材であって、例えば１０層に積層したカーボン繊維の織布を埋設した１０プライの繊維強化樹脂からなる。サイドシル部１３のサイドシル内壁繊維強化樹脂板１８は、下端から車幅方向内向きに延びるフランジ１８ａを有するＬ字状断面の部材であって、例えば８層に積層したカーボン繊維の織布を埋設した８プライの繊維強化樹脂からなる。サイドシル部１３のサイドシル上壁繊維強化樹脂板１９は、車幅方向両端から下向きに延びる一対のフランジ１９ａ，１９ｂを有するコ字状断面の部材であって、例えば６層に積層したカーボン繊維の織布を埋設した６プライの繊維強化樹脂からなる。またフロアパネル繊維強化樹脂板１２は、例えば４層に積層したカーボン繊維の織布を埋設した４プライの繊維強化樹脂からなる。
【００２１】
ブラケット２１は、底壁２１ａ、縦壁２１ｂおよび一対の側壁２１ｃ，２１ｄを一体に有しており、車幅方向外側の側壁２１ｃの外面には厚さを減少させた切欠き２１ｅが形成されるとともに、底壁２１ａには２個のナット２０，２０が埋設される。
【００２２】
サイドシル下壁繊維強化樹脂板１６の車幅方向内端部と、サイドシル内壁繊維強化樹脂板１８の下端のフランジ１８ｂと、フロアパネル繊維強化樹脂板１２の車幅方向外端部とが下から上に順次重ね合わされ、接着およびリベット２２…の併用で結合される。サイドシル下壁繊維強化樹脂板１６の車幅方向外端のフランジ１６ａと、サイドシル外壁繊維強化樹脂板１７の下端部とが車幅方向に重ね合わされ、接着およびリベット２２…の併用で結合される。そしてサイドシル外壁繊維強化樹脂板１７の上端部およびサイドシル内壁繊維強化樹脂板１８の上端部に、サイドシル上壁繊維強化樹脂板１９の車幅方向両端の一対のフランジ１９ａ，１９ｂが車幅方向に重ね合わされ、接着およびリベット２２…の併用で結合される。その結果、サイドシル下壁繊維強化樹脂板１６、サイドシル外壁繊維強化樹脂板１７、サイドシル内壁繊維強化樹脂板１８およびサイドシル上壁繊維強化樹脂板１９によって閉断面のサイドシル部１３が構成され、サイドシル部１３の車幅方向内側にフロアパネル繊維強化樹脂板１２が接続される。
【００２３】
そしてブラケット２１の底壁２１ａおよび一対の側壁２１ｃ，２１ｄが、それぞれサイドシル部１３のサイドシル下壁繊維強化樹脂板１６、サイドシル外壁繊維強化樹脂板１７およびサイドシル内壁繊維強化樹脂板１８に接着により結合される。このとき、サイドシル外壁繊維強化樹脂板１７にはサイドシル下壁繊維強化樹脂板１６のフランジ１６ａによって段差が発生するが、ブラケット２１の側壁２１ｃに形成した切欠き２１ｅによって前記フランジ１６ａとの干渉が回避される。ブラケット２１をサイドシル部１３の内部に装着した状態で、その縦壁２１ｂはサイドシル部１３の内部を前後に仕切るバルクヘッドとして機能する。尚、ブラケット２１とサイドシル部１３との接着部にリベットを併用することも可能である。
【００２４】
図４はサイドシル部１３のサイドシル下壁繊維強化樹脂板１６の繊維強化樹脂の層構造を示す模式図であって、各層は直交する二つの方向に配置された連続繊維を平織にした織布で構成される。本明細書では、連続繊維が配置される直交する二つの方向のうち、一方が車体前後方向であり、他方がそれに直交する方向である織布を第１織布２３と呼び、第１織布２３の連続繊維に対して４５°傾斜した連続繊維からなる織布を第２織布２４と呼ぶ。図３に示すサイドシル部１３のサイドシル下壁繊維強化樹脂板１６の繊維強化樹脂の層構造は、６プライの織布のうち、最外層の２プライが第２織布２４で構成され、内側の４プライが第１織布２３で構成され、サイドシル部１３の側方からの荷重に対する曲げ強度を増加させている。
【００２５】
しかもフロアパネル繊維強化樹脂板１２、サイドシル下壁繊維強化樹脂板１６、サイドシル外壁繊維強化樹脂板１７、サイドシル内壁繊維強化樹脂板１８およびサイドシル上壁繊維強化樹脂板１９は、内層に前記第１織布２３を少なくとも２層以上設けるとともに、外層に前記第２織布２４を少なくとも２層以上設け、積層中心に対して積層方向に対する繊維配向を対称にすることで、成形後に捩じれることを防止している。
【００２６】
本実施の形態では、サイドシル部１３の６プライのサイドシル下壁繊維強化樹脂板１６、１０プライのサイドシル外壁繊維強化樹脂板１７、８プライのサイドシル内壁繊維強化樹脂板１８および６プライのサイドシル上壁繊維強化樹脂板１９の織布の層と、４プライのフロアパネル繊維強化樹脂板１２の織布の層とは、何れも最外層の２プライが第２織布２４で構成され、内側のプライが第１織布２３で構成される。従って、サイドシル下壁繊維強化樹脂板１６は４プライの第１織布２３を備え、サイドシル外壁繊維強化樹脂板１７は８プライの第１織布２３を備え、サイドシル内壁繊維強化樹脂板１８は６プライの第１織布２３を備え、サイドシル上壁繊維強化樹脂板１９は４プライの第１織布２３を備え、フロアパネル繊維強化樹脂板１２は２プライの第１織布２３を備えることになる。
【００２７】
図５はサイドシル部１３およびフロアパネル繊維強化樹脂板１２を組み立てる工程を示すもので、先ずサイドシル部１３のサイドシル下壁繊維強化樹脂板１６およびサイドシル内壁繊維強化樹脂板１８とフロアパネル繊維強化樹脂板１２とを結合し（図５（Ａ）参照）、続いてサイドシル部１３のサイドシル下壁繊維強化樹脂板１６にサイドシル外壁繊維強化樹脂板１７を結合した後、上面開口部からブラケット２１を挿入してサイドシル下壁繊維強化樹脂板１６、サイドシル外壁繊維強化樹脂板１７およびサイドシル内壁繊維強化樹脂板１８に結合し（図５（Ｂ）参照）、最後にサイドシル部１３のサイドシル外壁繊維強化樹脂板１７およびサイドシル内壁繊維強化樹脂板１８にサイドシル上壁繊維強化樹脂板１９を結合する。上記工程により、閉断面を有するサイドシル部１３の内部にブラケット２１を容易に固定することができる。
【００２８】
以上のように、本実施の形態によれば、キャビン１１のサイドシル部１３をサイドシル下壁繊維強化樹脂板１６、サイドシル外壁繊維強化樹脂板１７、サイドシル内壁繊維強化樹脂板１８およびサイドシル上壁繊維強化樹脂板１９に分割し、かつサイドシル部１３とフロアパネル繊維強化樹脂板１２とを分割し、各々をカーボン繊維の織布の繊維配向および積層枚数が異なる繊維強化樹脂で構成したので、強度が必要な部分の繊維強化樹脂を厚くし、強度があまり必要でない部分の繊維強化樹脂を薄くすることで、強度の確保および軽量化の両立を図ることができる。
【００２９】
具体的には、車両の前突、後突あるいは側突に耐える強度が必要なサイドシル部１３の繊維強化樹脂は厚くされ、サイドシル部１３に保護されてあまり強度が必要でないフロアパネル繊維強化樹脂板１２の繊維強化樹脂は薄くされる。またサイドシル部１３のうちでも、耐側突性能に大きな影響のあるサイドシル外壁繊維強化樹脂板１７およびサイドシル内壁繊維強化樹脂板１８の繊維強化樹脂は、あまり影響のないサイドシル下壁繊維強化樹脂板１６およびサイドシル上壁繊維強化樹脂板１９の繊維強化樹脂よりも厚くされる。
【００３０】
また第１織布２３に対して連続繊維の向きが４５°異なる第２織布２４を組み合わせると繊維強化樹脂の強度が高められるが、その際に第２織布２４を繊維強化樹脂の両面の最外層に用いると補強効果が顕著なものとなる。そのために、本実施の形態では、キャビン１１のサイドシル部１３およびフロアパネル繊維強化樹脂板１２の全ての繊維強化樹脂の両面の最外層を第２織布２４で構成し、他の層を第１織布２３で構成している。
【００３１】
特に、サイドシル下壁繊維強化樹脂板１６はフロアパネル繊維強化樹脂板１２よりも第１織布２３の枚数が２枚多いので、フロアパネル繊維強化樹脂板１２をサイドシル部１２まで延長してサイドシル下壁繊維強化樹脂板１６と積層する場合に比べて、織布の積層枚数を減少させて重量の軽減と耐衝突性能・車体剛性などの車体性能とを両立させることができる。
【００３２】
またサイドシル部１３の下面に他部材をボルトで固定するために、サイドシル部１３のサイドシル下壁繊維強化樹脂板１６の内面にナット２０，２０を設ける必要があるが、ナットを有する金属インサートをサイドシル下壁繊維強化樹脂板１６に埋設すると重量が増加する問題がある。それに対し、本実施の形態では、予めナット２０，２０を固定した繊維強化樹脂製のブラケット２１をサイドシル部１３の内面に固定したので、ナットを有する金属インサートを用いる場合に比べて重量を軽減することができる。尚、ブラケット２１を金属製とすれば、それに直接ねじ孔を設けてナットを省略することができる。
【００３３】
またブラケット２１は、サイドシル部１３のサイドシル下壁繊維強化樹脂板１６、サイドシル外壁繊維強化樹脂板１７およびサイドシル内壁繊維強化樹脂板１８に接続されるので、ブラケット２１自体をサイドシル部１３のバルクヘッドとして機能させ、特別の補強部材を追加することなくサイドシル部１３の強度を高め、耐衝突性能を向上させることができる。しかもブラケット２１はサイドシル部１３を組み立てる過程でサイドシル上壁繊維強化樹脂板１９が取り付けられる上面開口部から装着することができるので、その取り付けが極めて容易である。
【００３４】
以上、本発明の実施の形態を説明したが、本発明はその要旨を逸脱しない範囲で種々の設計変更を行うことが可能である。
【００３５】
例えば、サイドシル部１３のサイドシル下壁繊維強化樹脂板１６、サイドシル外壁繊維強化樹脂板１７、サイドシル内壁繊維強化樹脂板１８およびサイドシル上壁繊維強化樹脂板１９の繊維強化樹脂の織布の積層枚数や、フロアパネル繊維強化樹脂板１２の繊維強化樹脂の織布の積層枚数は、実施の形態に限定されるものではない。
【００３６】
また繊維強化樹脂製の各部材を接着により結合する代わりに、溶着により結合しても良く、またリベット２２は必ずしも併用する必要はない。
【００３７】
また繊維強化樹脂はカーボン繊維強化樹脂に限定されるものではない。
【００３８】
また実施の形態のブラケット２１は繊維強化樹脂製であるが、それを金属板材で構成することができる。
【００３９】
また実施の形態のブラケット２１はサイドシル上壁繊維強化樹脂板１９に接続されていないが、それをサイドシル上壁繊維強化樹脂板１９に接続すればサイドシル部１３の強度を更に高めることができる。
【符号の説明】
【００４０】
１２        フロアパネル繊維強化樹脂板
１３        サイドシル部
１６        サイドシル下壁繊維強化樹脂板
１７        サイドシル外壁繊維強化樹脂板
１８        サイドシル内壁繊維強化樹脂板
１９        サイドシル上壁繊維強化樹脂板
２０        ナット（締結部）
２１        ブラケット
２３        第１織布
２４        第２織布
【図１】
0005734174.tif 000002
【図２】
0005734174.tif 000003
【図３】
0005734174.tif 000004
【図４】
0005734174.tif 000005
【図５】
0005734174.tif 000006